(57)【要約】【課題】  イベントや店舗の展示に於いて用いる展示用支持装置は、安定して展示するためには、その支持装置の脚部を広く大きく取らねばならず、その結果広い展示スペースが必要となったり、客やユーザーの移動を妨げる要因となった。従って、壁面を利用し壁面にスリットを設け、そのスリットに懸架するブラケット等によって展示する方法は、壁面自体が支えとなるため脚部云々の問題はなかったが、スリットは縦に平行にラインを描きかつ壁面埋め込みのためその位置を変えるためには壁面自体を取り壊す他がなく自由度がきかなかった。【解決手段】  そこで本願では、壁面に簡単に取り付けることができる板状部材であって、かつその板状部材にパーツ部材を懸架できるスリットを設け、そのパーツ部材を変えることによって様々な商品、製品やパンフレットなどを展示できる展示用支持装置とした。また、そのスリットは、板状部材の長尺方向に対し平行または直交方向に設け、パーツ部材の懸架状況を多種類にした。【選択図】図１
2007283048.tif 000002
【特許請求の範囲】
【請求項１】
壁や柱などに取り付け、複数種類のパーツ部材を懸架できるスリットを備え、該パーツ部材を該スリットに懸架した時、該複数種類の数の支持装置ができるようにした展示用ないし懸架用の板状部材からなるフレキシブルウォール
【請求項２】
前記スリットは、前記取り付けた壁や柱の面からは中空位置にあり、前記パーツ部品を該スリットに懸架した時、該パーツ部品の懸架治具が、該中空位置に収まるように構成したことを特徴とする請求項１に示したフレキシブルウォール
【請求項３】
前記フレキシブルウォールは長方形状もしくは正方形状をした板状部材からなることを特徴とする請求項１に示したフレキシブルウォール
【請求項４】
前記スリットは前記板状部材の長尺方向に平行もしくは直交して設け、前記パーツ部材との組み合わせによって、縦もしくは横方向に展示支持できるようにした請求項１に示したフレキシブルウォール
【請求項５】
該フレキシブルウォールは、前記壁や、前記柱の色合いに対応し、マッチング可能なように幾種類もの色を備えたことを特徴とする請求項１に示したフレキシブルウォール
【請求項６】
前記パーツ部材として絵画用の額縁や花飾り用の花器などとしたことを特徴とする請求項１に示したフレキシブルウォール
【請求項７】
一般住居やホテルやお店など住居建築物の壁や柱に、複数種類のパーツ部品を懸架できる前記請求項１から請求項６記載のフレキシブルウォールを取り付け、該パーツ部材や該パーツ部材に展示する展示品についてユーザーにインターネットで情報を届け、該ユーザーが該情報の中から選択した該パーツ部品や該展示品について、任意の間隔で届け、該住居、建築物に展示する該パーツ部品や該展示品について、交換するようにした該フレキシブルウォールを用いたビジネス
【発明の詳細な説明】
【技術分野】
【０００１】  本発明は壁や柱などに取り付ける展示用ないし懸架用のフレキシブルウォールに関する。
【背景技術】
【０００２】  従来、店舗や住宅の壁面やイベント用の展示ブースの壁面を作るに際し、壁面をいくつかに区分し、区分した壁面間にスリットを設け、そのスリットにブラケットを懸架し棚やハンガーなどを取り付けることは行われている。図１２は従来の実施例であり、（２）は壁面、（４）はスリット、（６）はハンガーブラケット、（８）はハンガーブラケット（６）に通したパイプである。このパイプにハンガーなどを懸架し展示品を展示する。【０００３】  こうした壁面に埋め込む形のスリットを利用した展示方法は従来から行われ。これらに直接関連する特許文献は本発明者らは見つけることができなかったが、展示装置について、間仕切りや床について改良改善したものはいくつか散見できた。
【発明の開示】
【発明が解決しようとする課題】
【０００４】  壁面と面一でスリットを埋設し、これにブラケットを懸架し、展示用支持装置や居住生活用懸架装置とすることは、場所を取らず特に展示用支持装置としては、シンプルに展示でき、その分展示物を目立たせ印象付けることができる展示方法となる。また、居住生活用懸架位置としても、居住空間の活用方法として優れた方法であると言える。【０００５】  ところがこの壁面埋め込み形のスリットを用いることを考えても、店舗の展示は、時代の変還や季節などによって模様替えを行なうのが常であり、そうした模様替えを行なうに当って異なったブラケットなどのパーツ部材を用いるだけでは、変化を演出できないことがあった。スリット位置を変えるためには壁面から変えねばならす、またブラケット等を懸架しない壁面にスリットが入っていること自体、店内の装飾としては問題となることがあった。【０００６】  また、居住用の住宅などでは壁面にスリットがあること自体、違和感がありスリット部にほこりやチリが入り込む問題もあった。【０００７】  イベントなどの展示用ブースを作るに当っても場所によっては展示主催者が、各展示ブースの仕切りを行い、一部壁面等を作ることがあり独自に展示ブースを作ることができる場合も壁面間にスリットを取り付けるこれまでの方法は手間暇がかかり、コスト的にも高くついた。【０００８】  つまり壁面と面一に壁面間にスリットを設けそのスリットにブラケット等を懸架し、展示用支持装置や懸架装置として行く従来の方法は空間のシンプルな活用法として優れてはいたが
▲１▼ひとたび模様替えをする時には、大きな模様替えは壁面から変えねばならず、大変な作業となった。
▲２▼模様替えによって使用しなくなった壁面スリットがあることは店舗用、居住用を問わず問題が残り
▲３▼壁面にスリットが設けられていない時には新たに設けるためには壁面を区切り、スリットを埋設する等の大がかりな工事が必要となった。【０００９】  そこで、本発明では、展示用、居住用を問わず壁面にそってシンプルかつ場所をとらない展示や懸架ができ、なおかつ従来の壁面スリット方式が持っていた上述した問題を解決できるものを提案することが課題である。【００１０】  そこで本願は、壁面に取り付ける板状の部材を考え、その板状部材に展示や装飾用のパーツ部材を懸架できるスリットを設け、その板状部材を壁面に中空上に取り付けることを考えた。壁面に取り付けたその板状部材は簡単に取り付けや取り外しができる一方で、その板状部材を取り付ければ展示するものや装飾懸架するものが異なってもその板状の部材のスリットに懸架するパーツ部材を変えることによってそれらに対応した展示装置や室内の装飾や懸架装置として活用できるようにした。【００１１】  本発明によるフレキシブルウォールとそこに懸架する色々なパーツ部材を組み合わせた展示用支持装置は▲１▼場所をとらず、▲２▼低コストで▲３▼展示する商品に最適な展示用支持装置を作ることができる。【００１２】  また、フレキシブルウォールは縦及び横置きに自在に変えて取り付けることができ、イベント用の展示や、店舗用展示など、Ｔ．Ｐ．Ｏによって変化を求められる領域でもユーザーの要求に充分満足させることができる。もちろん、この場合縦置き用、横置き用の専用部材を作っておき、スリットの数を減らし展示上の見栄えをよくすることもできる。【００１３】  この展示方法は壁面にフレキシブルウォールを取り付け、壁面にほぼフラットに支持する構造を取るため、通常の展示用支持装置が装置を安定して置くためには、脚部を広く取り装置が大がかりになり、客の行き帰の邪魔になるなどの問題点を持っていたが、それらを解決し、場所のとらないかつ安定した展示支持ができる。また店舗などの展示用支持だけでなく住宅用として使用し、生活用品や装飾品を置くようにすれば狭い住宅内を有効に使用できると共により良い生活ライフを送ることもできる。【００１４】  以下図面によって本発明について詳述する。
【実施例１】
【００１５】  図１は、本発明によるフレキシブルウォールの外観図でその１実施例である。（１０）は板状のウォール本体、（１２）はウォール本体（１０）を壁面に取り付けるための取り付け穴で、１２ａから１２ｆまで、６ヶ所で取り付けるようになっている。（１４）、（１６）、（１８）、（２０）はいずれもパーツ部材を懸架するスリットである。【００１６】  スリット（１４）は、ウォール本体（１０）の左右に１０個づつ設けられていて、スリット（１４ａ）とスリット（１４ｂ）は、ウォール本体（１０）の縦の中心軸に対し、左右対象に設けられている。同様にスリット（１４ｃ）とスリット（１４ｄ）も左右対象に設けられ、スリット（１４ａ）とスリット（１４ｃ）と同じ間隔で右側にあと８個、スリット（１４ｂ）とスリット（１４ｄ）と同じ間隔で左側にあと８個スリットは設けられている。（他は番号をつけていない）これは、このウォール本体（１０）の長尺を上下に図２のように壁面に取り付けた時に使用するスリットである。【００１７】  スリット（１８）もウォール本体（１０）の長尺を上下にして壁面に取り付けた時に使用するスリットであり、ここでは（１８ａ）、（１８ｂ）、（１８ｃ）と続き全部で１１個（全部は番号を付けていない）のスリットを設けている。【００１８】  スリット（１６）は、ウォール本体（１０）の長尺方向を左右にとり図３のように壁面に取り付けたときに使用するスリットであり、スリット（１６ａ）とスリット（１６ｂ）、スリット（１６ｃ）とスリット（１６ｄ）が対になってパーツ部材を懸架するようにしている。その他のスリットも同様である。【００１９】  スリット（２０）もスリット（１６）と同様、ウォール本体（１０）の長尺を左右にとって壁面に取り付けたときに使用するスリットであり、ここではスリット（２０ａ）、スリット（２０ｂ）、スリット（２０ｃ）の３個を設けている。【００２０】  図２は、図１に示したフレキシブルウォール（１０）と同じ大きさのフレキシブルウォール（２２）、（２４）と、それより少し大きいフレキシブルウォール（２６）を長尺方向を上下に壁面に取り付けた外観写真図である。（２８）は壁面である。【００２１】  図３はこれに対しフレキシブルウォールを長尺方向を左右にして壁面に取り付けた外観写真図である。ここで（３０）はフレキシブルウォール（１０）と同じ大きさのフレキシブルウォール、（３２）はそれより少し長尺方向が長いフレキシブルウォール、（３４）は壁面である。【００２２】  これらのフレキシブルウォール（２２）、（２４）、（２６）、（３０）、（３２）はいずれも図４に示したように壁面に中空状態になるように取り付けられている。図４で（３６）はネジ、（３８）はワッシャ、（３９）は取付穴、（４０）は介在部材、（４２）はフレキシブルウォールである。
ここでは壁面は描いていないが、ネジ（３６ａ）をワッシャ（３８）を介して、取り付け穴（３９ａ）を通し、介在部材（４０）をはさんで壁面にねじ込み、壁面上に中空状態にフレキシブルウォール（４２）を固定する。これはもう一つのネジ（３６ｂ）の場合も同じであり、図１のフレキシブルウォール（１０）の場合は６ヶ所の取り付け穴（１２ａ〜１２ｄ）を使って同様に取り付ける。【００２３】  介在部材をはさんで、壁面に対し中空状態フレキシブルウォールを取り付けるようにしているため、フックを持ったパーツ部材をスリットの穴を通し簡単にこのフレキシブルウォールに懸架できるようになっている。
【実施例２】
【００２４】  図５及び図６は、本発明によるフレキシブルウォールにパーツ部材を懸架し、展示用支持装置とし、そこに様々な製品やパンフレットを展示した外観写真図である。
図５は、図２に示したフレキシブルウォール（２２）、（２４）、（２６）にパーツ部材（４４〜５８）を懸架したものであり、図６は図３に示したフレキシブルウォール（３２）、（３０）にパーツ部材（４４）、（４６）、（４８）、（５０）、（５８）を懸架したものである。【００２５】  図５で、フレキシブルウォール（２２）に懸架されているパーツ部材（４４）は、パンフレット収納ケースであり、パーツ部材（４６）はゴルフのアイアンクラブ用の展示用支持装置である。図７は、ここで使用している展示用支持装置の外観図であり、このパーツ部材（４６）はフレキシブルウォール（２２）に懸架する部材（６０）に、図７に示したようなアイアンクラブの展示用支持装置（６２ａ）、（６２ｂ）のうち、展示装置（６２ａ）を組み合わせて構成している。【００２６】  また、フレキシブルウォール（２４）にはパーツ部材（４８）とパーツ部材（５０）が取り付けられ、それぞれ小物の展示とゴルフのウッドクラブの展示が行なわれている。図８及び図９はそれぞれのパーツ部材の外観図である。【００２７】  フレキシブルウォール（２６）にはパーツ部材（５２）、パーツ部材（５４）、パーツ部材（５６）、パーツ部材（５８）が懸架されている。図で見るようにそれらはＣＤケース、靴の展示用支持装置、パンフレットケースである。靴用の展示用ケースはパーツ部材（５４）パーツ部材（５６）と二種類あるが、パーツ部材（５４）の詳細な外観図が図１０であり、パーツ部材（５８）の同じく詳細な外観図が図１１である。【００２８】  図６は、図３に示したフレキシブルウォール（３０）、（３２）を壁面（３４）に長尺方向を左右にし、横置きで取り付けられたものに、パーツ部材（４４）、（４６）、（４８）、（５０）、（５８）を懸架し、製品やパンフレットを展示したものである。図５で使用したパーツ部材を使用しているが、同じものを使用しても展示物が与える印象は図５のものと明らかに異なっている。【００２９】  イベントによる展示にしろ、店舗内での商品展示にしろ、場所の制約がある中で季節にマッチし、またそのイベントのテーマや販促の目的によって変化させることが求められる。図５と図６に見るように同じフレキシブルウォールを使い、それを縦と横両方使用上の置き換えができるようにしたことで、この変化に多少とも対応できていることが分かる。【００３０】  また、フレキシブルウォールとそれに組み合わせるパーツ部材を複数個用意しておけば、実に様々な製品やパンフレットを展示することができることも、この図５、図６の事例から分かる。パーツ部材はここに示したものだけではなく、その商品を目立たせるものを作ればよい。【００３１】  通常の展示装置は、展示し支える脚部分から作らねばならず、それ自身が場所をとる。また、そのため作るうえでのコストもかかる。しかしながら、本発明のフレキシブルウォールとパーツ部材の組み合わせによる展示用支持装置は、フレキシブルウォールがその支え部分を担うため、それぞれの製品の展示に対応して考えなければならないのは、パーツ部材だけである。従ってコストも安くできる。
【実例３】
【００３２】  これまでの実例ではイベントでの展示や店舗やホテルなどでの展示用支持装置としての実例で考えてきたが、このフレキシブルウォールの使い道として一般住宅での利用も可能である。例えば住宅の廊下や部屋にこのフレキシブルウォールを取り付け、そこにパーツ部材を懸架し、色々な生活用品の場所を取らない置き場とすることができる。また、絵画や写真などの額や、花瓶を置く小物置などを懸架できるようにしておけば、住宅内の装飾も生かすことができる。
【００３３】  以上見てきたように、本発明はイベント展示やスーパー、百貨店、通常の店舗、ホテル、公共施設など人が集まる場所での展示や住宅内での生活用品の整理、整頓、装飾などに極めて応用範囲が広く、大きな利用可能性がある。
【００３４】  なお、本発明における実例はあくまで一実施例にすぎず、本発明はこの実施例に限定されるものではない。
【図面の簡単な説明】
【００３５】
【図１】は、本願発明によるフレキシブルウォールの一実施例の正面外観図である。
【図２】は、本願発明によるフレキシブルウォールを壁面状の板に取り付けた外観図である。
【図３】は、図２に示したフレキシブルウォールを長尺方向を左右の横置きになるように壁面に設置した図である。
【図４】は、本発明によるフレキシブルウォールを壁面に対し中空状態に設置できるようにする仕組みの説明図である。
【図５】は、図２に示したフレキシブルウォールにパーツ部材を懸架して、それぞれ商品を展示したところを示す写真外観図である。
【図６】は、図３に示したフレキシブルウォールにパーツ部材を懸架して、商品を展示した写真外観図である。
【図７】は、パーツ部材の一つで、ゴルフクラブのアイアンクラブの展示用支持装置である。
【図８】は、パーツ部材の一つで、商品を飾る設置棚。
【図９】は、パーツ部材の一つで、ゴルフのウッドクラブの展示用支持装置。
【図１０】は、パーツ部材の一つで、小物の展示用の支持装置。
【図１１】は、パーツ部材の一つで、パンフレットなど書籍類の展示用支持装置である。
【図１２】は、従来の壁面に設けられたスリットとそれに懸架したブラケットの実施例である。
【図１】
2007283048.tif 000003
【図２】
2007283048.tif 000004
【図３】
2007283048.tif 000005
【図４】
2007283048.tif 000006
【図５】
2007283048.tif 000007
【図６】
2007283048.tif 000008
【図７】
2007283048.tif 000009
【図８】
2007283048.tif 000010
【図９】
2007283048.tif 000011
【図１０】
2007283048.tif 000012
【図１１】
2007283048.tif 000013
【図１２】
2007283048.tif 000014